(57)【特許請求の範囲】
【請求項１】
イメージセンサから画像信号を得てメモリにデジタル記録する撮像モードと、前記メモリに記録された画像データを読み出してディスプレイに画像表示する再生モードと、前記メモリから読み出された画像データに基づいて記録ヘッドを駆動し、記録媒体に画像記録するプリントモードと、各種の設定を行うセットアップモードと、これらのモードを切り換えるモード切換手段とを有し、前記セットアップモードでは、複数の設定項目が複数の異なったグループに分けられ、このグループから１つを選択することによりそのグループの設定項目が前記ディスプレイに一覧表示される電子スチルカメラにおいて、
加速度センサと、この加速度センサからの出力に基づいて、手に把持されている不安定状態か、テーブル等に置かれている安定状態かを判定する判定手段とを設け、前記モード切換手段を操作してセットアップモードを選択した最初にディスプレイに表示するグループを、前記判定手段が不安定状態と判定した場合には撮像モードに係るグループとし、また前記判定手段が安定状態と判定した場合にはプリントモードに係るグループとすることを特徴とする電子スチルカメラ。
【請求項２】
イメージセンサから画像信号を得てメモリにデジタル記録する撮像モードと、前記メモリに記録された画像データを読み出してディスプレイに画像表示する再生モードと、前記メモリから読み出された画像データに基づいて記録ヘッドを駆動し、記録媒体に画像記録するプリントモードと、各種の設定を行うセットアップモードと、これらのモードを切り換えるモード切換手段とを有し、前記セットアップモードでは、複数の設定項目が複数の異なったグループに分けられ、このグループから１つを選択することによりそのグループの設定項目が前記ディスプレイに一覧表示される電子スチルカメラにおいて、
前記イメージセンサの前方に配置されたカメラレンズの前部を遮蔽する遮蔽手段と、この遮蔽手段によりカメラレンズの前部が遮蔽されているか否かを検出する遮蔽状態検出手段とを設け、前記モード切換手段を操作してセットアップモードを選択した最初にディスプレイに表示するグループを、前記遮蔽状態検出手段がカメラレンズの前部が遮蔽されていない状態を検出した場合には撮像モードに係るグループとし、前記遮蔽状態検出手段がカメラレンズの前部が遮蔽されている状態を検出した場合にはプリントモードに係るグループとすることを特徴とする電子スチルカメラ。
【請求項３】
イメージセンサから画像信号を得てメモリにデジタル記録する撮像モードと、前記メモリに記録された画像データを読み出してディスプレイに画像表示する再生モードと、前記メモリから読み出された画像データに基づいて記録ヘッドを駆動し、記録媒体に画像記録するプリントモードと、各種の設定を行うセットアップモードと、これらのモードを切り換えるモード切換手段とを有し、前記セットアップモードでは、複数の設定項目が複数の異なったグループに分けられ、このグループから１つを選択することによりそのグループの設定項目が前記ディスプレイに一覧表示される電子スチルカメラにおいて、
前記記録媒体が複数枚積層して収納された記録媒体パックを装填するパック装填室に、前記記録媒体パックの有無を検出するパック検出手段を設け、前記モード切換手段を操作してセットアップモードを選択した最初にディスプレイに表示するグループを、前記パック検出手段により記録媒体パックがパック装填室に装填されていない状態が検出された場合には撮影モードに係るグループとし、また前記パック検出手段により記録媒体パックがパック装填室に装填されている状態が検出された場合にはプリントモードに係るグループとすることを特徴とする電子スチルカメラ。
【発明の詳細な説明】
【０００１】
【発明の属する技術分野】
本発明は、メモリに記録された画像データにより被写体画像のハードコピーが簡単に得られるプリンタ内蔵型の電子スチルカメラに関し、さらに詳しくはセットアップモードでの設定項目を容易に選択できるようにしたプリンタ内蔵型の電子スチルカメラに関するものである。
【０００２】
【従来の技術】
ＣＣＤイメージセンサなどにより光学的な被写体画像を電気的な画像信号に変換し、さらにデジタル変換して得られた画像データをスマートメディア（商品名）等のメモリに保存するようにした携帯型の電子スチルカメラが普及している。そして、このような電子スチルカメラにプリンタを内蔵させたものが知られている（特開平１１−１２７４０９号）。この電子スチルカメラには、記録媒体として自己現像処理型のインスタントフイルムが用いられ、撮像を行ってメモリに画像データを記録した後に、メモリから読み出した画像データに基づいて光プリンタを駆動し、インスタントフイルムに光学記録（露光）を行ってハードコピーを得る構成となっている。
【０００３】
このような電子スチルカメラには、メモリから画像データを読み出して再生画像を表示する液晶ディスプレイが設けられている。この液晶ディスプレイは、撮像している画像をリアルタイムに表示する電子ビューファインダとしても用いられる他、各種の設定を行うセットアップ時には、各設定項目を表示する。
【０００４】
【発明が解決しようとする課題】
上記のようなプリンタ内蔵型の電子スチルカメラをセットアップする際には、撮像に関する設定項目と、プリンタに関する設定項目とがあるため、設定項目の数が非常に多くなる。しかしながら、狭い液晶ディスプレイの画面には、一度に表示できる項目数に限りがあるため、画面をスクロールする必要が生じ、セットアップ時の操作性が著しく悪化している。
【０００５】
本発明は上記課題を解決するためになされたもので、セットアップ時の操作性を向上した電子スチルカメラを提供することを目的とする。
【０００６】
【課題を解決するための手段】
上記目的を達成するために、本発明の電子スチルカメラは、イメージセンサから画像信号を得てメモリにデジタル記録する撮像モードと、前記メモリに記録された画像データを読み出してディスプレイに画像表示する再生モードと、前記メモリから読み出された画像データに基づいて記録ヘッドを駆動し、記録媒体に画像記録するプリントモードと、各種の設定を行うセットアップモードと、これらのモードを切り換えるモード切換手段とを有し、前記セットアップモードでは、複数の設定項目が複数の異なったグループに分けられ、このグループから１つを選択することによりそのグループの設定項目が前記ディスプレイに一覧表示されるようにした上で、加速度センサと、この加速度センサからの出力に基づいて、手に把持されている不安定状態か、テーブル等に置かれている安定状態かを判定する判定手段とを設け、前記モード切換手段を操作してセットアップモードを選択した最初にディスプレイに表示するグループを、前記判定手段が不安定状態と判定した場合には撮像モードに係るグループとし、また前記判定手段が安定状態と判定した場合にはプリントモードに係るグループとするものである。
【０００８】
また、前記イメージセンサの前方に配置されたカメラレンズの前部を遮蔽する遮蔽手段と、この遮蔽手段によりカメラレンズの前部が遮蔽されているか否かを検出する遮蔽状態検出手段とを設け、前記モード切換手段を操作してセットアップモードを選択した最初にディスプレイに表示するグループを、前記遮蔽状態検出手段がカメラレンズの前部が遮蔽されていない状態を検出した場合には撮像モードに係るグループとし、前記遮蔽状態検出手段がカメラレンズの前部が遮蔽されている状態を検出した場合にはプリントモードに係るグループとするものである。
【０００９】
また、前記記録媒体が複数枚積層して収納された記録媒体パックを装填するパック装填室に、前記記録媒体パックの有無を検出するパック検出手段を設け、前記モード切換手段を操作してセットアップモードを選択した最初にディスプレイに表示するグループを、前記パック検出手段により記録媒体パックがパック装填室に装填されていない状態が検出された場合には撮影モードに係るグループとし、また前記パック検出手段により記録媒体パックがパック装填室に装填されている状態が検出された場合にはプリントモードに係るグループとするものである。
【００１０】
【発明の実施の形態】
電子スチルカメラの正面側外観を示す図２において、カメラボディ２の上方に電源スイッチ３が設けられ、これをオン操作することによって各種操作キーの操作が有効化される。前面上方にカメラレンズ４とストロボ発光窓５とが設けられている。グリップ部６の側面に電池室蓋７が設けられ、これを開放することによって電源電池の交換を行うことができる。電源電池には、例えば４本の単３電池（直列接続）が用いられる。
【００１１】
グリップ部６の前面にレリーズボタン８が設けられ、レリーズボタン８を押すとカメラレンズ４を通して一回の撮像が行われる。カメラレンズ４には、例えば１．２ｍから無限遠までを焦点深度内に含むパンフォーカスレンズが用いられ、基本的にはピント合わせが不要であるが、数１０ｃｍの接写を可能とするために、接写用のセットノブ９が設けられている。なお、三角測距方式あるいは空間周波数のピーク検出方式などの周知のオートフォーカス装置を設け、通常の撮影距離については、レリーズボタン８の半押し操作時に自動的にカメラレンズ４のピント合わせを行うようにしてもよい。
【００１２】
また、カメラレンズ４の鏡胴部２ａの前端には、カメラレンズ４の前部を遮蔽してカメラレンズ４を保護する遮蔽手段としてのレンズキャップ１２が着脱される。このレンズキャップ１２の着脱は、カメラレンズ４の下方に設けられた遮蔽状態検出手段であるレンズキャップ検出センサ１３によって検出される。なお、レンズキャップ１２の代わりに、シャッタ式の開閉扉（レンズバリア）を鏡胴部２ａに組み込んでもよい。
【００１３】
カメラボディ２の上面にスリット状の排出口２ｂが形成され、常態ではカバー１１によって光密に覆われている。プリント操作を行ったときには、排出口２ｂから露光済みのインスタントフイルム１０が突出し、ドア１１を押し開きながらカメラボディ２外に排出される。排出口２ｂの奥には一対の展開ローラが設けられており、露光済みのインスタントフイルム１０が一対の展開ローラの間を通って搬送されるときに現像処理液の展開が行われ、１分〜数分程度の間にインスタントフイルム１０上にポジ画像が得られる。
【００１４】
上記のように、この電子スチルカメラでは画像のハードコピーを得るために、周知のモノシートタイプのインスタントフイルム１０が用いられている。モノシートタイプのインスタントフイルム１０は、本出願人などによる商品化によってすでに広く普及しており、感光シート、受像シート、現像処理液を内包したポッドとを基本的な構成要素としている。そして、感光シートに露光を与えることによって光化学的に潜像を形成した後、この感光シートと受像シートとの間に現像処理液を展開しながら両シートを加圧することによって、受像シートにポジ画像が転写される。
【００１５】
前記インスタントフイルム１０は、フイルムパック１４と称されるプラスチック製のケースに１０枚積層して収納されている。フイルムパック１４の上端面には、露光済みのインスタントフイルム１０が排出されるスリット状の排出用開口１４ａが形成され、また上端面に直角な前面（図２の図面裏側）には、露光用開口１４ｂ（図６参照）が形成されている。未使用状態のフイルムパック１４では、排出用開口１４ａは薄い樹脂製の遮光カバー１５によって遮蔽され、露光用開口１４ｂはインスタントフイルム１０の第１枚目の上に重ねて設けられたインスタントフイルム１０とほぼ同サイズの遮光シートによって遮蔽されている。この遮光シートは、装填後の最初のレリーズ操作により、遮光カバー１５を押し開けながら排出用開口１４ａを通ってカメラボディ２の外に排出される。
【００１６】
カメラボディ２の前面側には、フイルムパック１４を装填するパック装填室２ｃが形成されている。パック装填室２ｃは、蓋１６によって開閉される。パック装填室２ｃ内には、装填されたフイルムパック１４によって押されてオンされ、フイルムパック１４の有無を検出するパック検出スイッチ１７と、閉位置にある蓋１６によって押されてオンされ、蓋１６が閉じられているか否かを検出する蓋検出スイッチ１８とが設けられている。
【００１７】
電子スチルカメラの背面側の構成を表す図３において、カメラボディ２の背面には、画素ごとに液晶ドットセグメント及びマイクロカラーフィルタを組み合わせて配列した画像表示用の液晶ディスプレイ１９が設けられている。液晶ディスプレイ１９は白色の照明光を与える蛍光灯を内蔵し、カメラレンズ４を通して撮像される被写体画像をリアルタイムでカラー表示するディスプレイとして用いられ、いわゆる電子ビューファインダを構成する。
【００１８】
液晶ディスプレイ１９の脇には、環状をしたモード切換ダイヤル２０が設けられ、この側方には実行キー２１，キャンセルキー２２が設けられ、下方にはプリントキー２４が設けられている。また、カメラボディ２の底面側には、外部メモリ２５を挿脱するためのスリット状の開口を露呈する開閉式ドア２６が回動自在に組み込まれている。なお、符号２６ａは開位置の開閉式ドア２６を示す。また、外部メモリ２５には、例えば本出願人から提供されているスマートメディア（商品名）を用いることができる。
【００１９】
モード切換ダイヤル２０の表面には、図４に示すように、モード名を表す「タイマー」，「セットアップ（ＳＥＴＵＰ）」，「撮影」，「再生」等の文字が記されており、これを指標２７に合わせることにより、モードの切換を行うことができる。なお、前記文字の代わりにアイコンで各モードを表すようにしてもよい。
【００２０】
モード切換ダイヤル２０の中央部には、円盤状のカーソルキー２８が設けられている。このカーソルキー２８は、周縁の上下左右に三角状の矢印２９ａ〜２９ｄが刻印されており、これらのうちのいずれか一ヶ所を押し込むことにより、液晶ディスプレイ１９に表示されたカーソルをその矢印方向に移動させることができる。
【００２１】
セットアップモードにセットされた状態での液晶ディスプレイ１９の画面を示す図１において、セットアップする設定項目のグループには、カメラメニューとプリントメニューの２種類がある。各メニューの最上部にはタブ３１，３２が設けられており、このタブ３１，３２にはそれぞれのメニュー名である「カメラメニュー」，「プリントメニュー」が表示されている。
【００２２】
本実施形態では、カメラボディ２を手に持っているか、テーブル等の上に置いてあるかによって、セットアップモードにセットした直後に選択されるメニューが異なる。例えば、カメラボディ２を手に持っている場合には、これを内部の加速度センサ（図５参照）が検知して、（Ａ）に示すように、カーソル３３が「カメラメニュー」に合わせられ、液晶ディスプレイ１９の画面には、「カメラメニュー」に対応した例えば「クオリティー」，「ピクセル」，「シャープネス」，「ブライトネス」，「コマＮｏ．表示」，「日付表示」の各項目が一覧表示される。なお、カーソル３３は、例えば画面の背景色や文字色と異なる色，例えば薄い赤色をしており、選択されたメニューや設定項目が明瞭に判るようになっている。また、例えばカーソル３３によって選択された文字が反転するようにしてもよい。
【００２３】
「カメラメニュー」において、項目「クオリティー」は、撮影の目的に合わせて２種類の画質（記録画像の圧縮率）を選べるもので、「ＦＩＮＥ」と「ＮＯＲＭＡＬ」がある。項目「ピクセル」は、撮影画像の画素数のことで、「１２８０」と「６４０」のいずれかを選択できる。この「１２８０」は１２８０×１０２４ピクセル，「６４０」は６４０×４８０ピクセルである。項目「シャープネス」は、被写体の輪郭を強調したり、画像のめりはり感を変えるためのもので「大」または「小」を選択できる。項目「ブライトネス」は撮影画像の明るさで、「明るい」または「暗い」を選択できる。項目「コマＮｏ．表示」は、撮影時の液晶ディスプレイ１９にコマＮｏ．を表示するか否かを選択するもので、「する」か「しない」かを選択する。項目「日付表示」は、撮影時の液晶ディスプレイ１９に日付を表示するかしないかを選択する。
【００２４】
なお、図１において、例えば項目「クオリティー」の「ＦＩＮＥ」，「ＮＯＲＭＡＬ」を「／」で区切って両方とも表示させているが、実際の画面では、いずれか一方が表示されており、表示されている「ＦＩＮＥ」または「ＮＯＲＭＡＬ」にカーソル３３を合わせて実行キー２１を押圧すると、表示されていない方の表示に切り替わる。他の項目についても同じである。
【００２５】
「カメラメニュー」が前側に表示された状態から、カーソルキー２８の矢印２９ｃまたは矢印２９ｄを押してカーソル３３を左右に移動させると、カーソル３３が重なった「カメラメニュー」または「プリントメニュー」が選択される。また、タブ３１またはタブ３２にカーソル３３がある状態で実行キー２１を押してもカーソル３３が移動して「カメラメニュー」または「プリントメニュー」を選択できる。「プリントメニュー」が選択された場合には、（Ｂ）に示すように、液晶ディスプレイ１９の画面に、「プリントメニュー」に対応した例えば「プリント枚数」，「画像合成」，「シャープネス」，「ブライトネス」，「色調整」，「日付プリント」の各設定項目が一覧表示される。
【００２６】
「プリントメニュー」において、項目「プリント枚数」は、プリント枚数を指定する。デフォルトでは「１」枚になっているが、カーソル３３を「１」に合わせてからカーソルキー２８の矢印２９ａを押圧すれば、「２」，「３」，・・・と増加し、矢印２９ｂを押圧すれば、・・・「３」，「２」，「１」と減少する。ただし、「１」より小さくはならない。項目「画像合成」は、プリント時に画像合成するか否かを選択する。項目「シャープネス」は、プリント画像の輪郭強調の程度を選択する。項目「ブライトネス」は、プリント画像の明るさを選択する。項目「色調整」は、プリント画像の色合いを赤側または緑側にシフトできる。項目「日付プリント」は、プリント画像に日付を入れるか入れないかを選択する。モード切換ダイヤル２０を回して、セットアップモード以外のモードを選択すると、セットアップモードで設定された各項目が決定される。
【００２７】
電子スチルカメラの電気的構成の概略を示す図５において、カメラレンズ４は撮影レンズの他に、シャッタ機構，絞り機構も含まれる。また、カメラレンズ４の背後にＣＣＤイメージセンサ３５が位置しており、被写体画像はＣＣＤイメージセンサ３５の光電面に結像される。ＣＣＤイメージセンサ３５は光学的な被写体画像を電気的な撮像信号に変換して撮像画像処理部３６に出力する。
【００２８】
撮像画像処理部３６は、数個のＩＣにより構成されており、画像演算処理ＩＣ３７の制御により、カメラレンズ４の絞り及びシャッタの制御，ＣＣＤイメージセンサ３５の１フレーム画像の撮像制御，ＣＣＤイメージセンサ３５からの撮像信号を画像メモリ３８に格納するための輝度信号と色差信号からなるＹＣｒＣｂ信号（デジタル信号）に変換，画像メモリ３８から読み出したＹＣｒＣｂ信号をＮＴＳＣ信号に変換して液晶ディスプレイ１９に出力，外部メモリ２５とのインターフェイス，オンスクリーンディスプレーＩＣ（ＯＳＤ）３９からキャラクタ信号を前記映像信号に付加，マイクロコンピュータ４０とシリアル信号にて通信等の処理を行う。
【００２９】
撮像画像処理部３６による外部メモリ２５とのインターフェイスとは、画像メモリ３８のＹＣｒＣｂ信号からなる蓄積画像データを画像演算処理ＩＣ３７が圧縮して外部メモリ２５に書き込むこと、また外部メモリ２５から圧縮画像データを読み出して画像演算処理ＩＣ３７に出力することである。
【００３０】
印画画像処理ＩＣ４１は、画像演算処理ＩＣ３７から印画データを入力し、各色，各ラインの階調単位でメカユニット４２の記録ヘッドユニット４３に印画データを出力する。メカユニット４２は、前記パック装填室２ｃ，パック検出スイッチ１７，蓋検出スイッチ１８の他、図６に示すように、インスタントフイルム１０の幅以上の長さを有する記録ヘッドユニット４３と、記録ヘッドユニット４３を矢印Ｓ方向に往復移動するヘッド走行機構４４と、フイルム搬送機構４５とからなる。
【００３１】
前記ヘッド走行機構４４は、プーリやベルト等からなるヘッド駆動機構４８と、これを駆動するスキャンモータ４９とからなる。また、記録ヘッドユニット４３がインスタントフイルム１０への露光を開始する記録開始位置４３ａは、一点鎖線で示すように、記録ヘッドユニット４３がインスタントフイルム１０の最下端部に対面する位置である。
【００３２】
前記フイルム搬送機構４５は、展開ローラ５１，クロー爪，駆動機構及び駆動モータからなり、例えば特開平４−１９４８３２号公報などに記載されているように、従来のインスタントカメラに用いられているものと同じでよく、その機能も全く同一である。すなわち、フイルム搬送機構４５は、フイルムパック１４の中から露光済みのインスタントフイルム１０を送り出しながら、インスタントフイルム１０の上端部分に設けられた現像液ポッドを裂開して現像処理液をインスタントフイルム１０の感光シートと受像シートとの間に展開する。所定の現像処理時間の経過後にインスタントフイルム１０に撮影されたポジ像が現出する。
【００３３】
前記画像演算処理ＩＣ３７は、撮影画像処理部３６を制御して、画像メモリ３８との画像データの授受を制御する。また、画像演算処理ＩＣ３７は、画像メモリ３８のＹＣｒＣｂ信号からなる画像データを外部メモリ２５に適合した画像データに変換したり、また復元したりする。また、画像演算処理ＩＣ３７は、画像メモリ３８のＹＣｒＣｂ信号からなる画像データを印画画像処理ＩＣ４１に適合した印画データに変換する。
【００３４】
前記画像メモリ３８は、ＹＣｒＣｂ信号からなる画像データを蓄積するためのメモリＩＣであり、画像演算処理ＩＣ３７内に設けてもよい。また、不揮発性メモリ（ＥＥＰＲＯＭ等）５３は、マイクロコンピュータ４０が参照する各種の制御用シーケンス等を記憶してある。また、ブザー５４は、マイクロコンピュータ４０により制御され、電圧の印加により音を発してユーザに注意を喚起する。また、符号５５は、前記加速度センサである。また、コントロールパネル５６は、レリーズボタン８，モード切換ダイヤル２０，実行キー２１，キャンセルキー２２及びプリントキー２４等をマイクロコンピュータ４０に接続するマン−マシンインターフェイスパネルである。
【００３５】
前記記録ヘッドユニット４３の内部構造を示す図７において、遮光されたケース６１内に、その長手方向に沿って細長く、厚みが薄い蛍光表示管６２が組み込まれている。蛍光表示管６２の下方には、カラーフィルタ６３，第１ミラー６４、セルフォックレンズアレイ６５、第２ミラー６６が設けられ、開口６１ａから射出されたプリント光がインスタントフイルム１０に達する。
【００３６】
前記蛍光表示管６２の原理を示す図８において、フィラメント７１の直下にアノード電極７２が配置され、アノード電極７２のフィラメント７１側には蛍光体７３が塗布されている。フィラメント７１には一定ＡＣ電圧が印加されている。アノード電極７２にフィラメント電圧よりも十分に高いＤＣ電圧を印加すると、フィラメント７１からアノード電極７２に向けて熱電子が放出される。フィラメント７１から放出された熱電子は蛍光体７３に衝突し、蛍光体７３は発光する。この発光光は、カラーフィルタ６３に向けて放出される（図７参照）。なお、蛍光表示管６２の外装はガラスであり、内部に図８に示すフィラメント７１，アノード電極７２等を有し、真空に近い状態に保持されている。
【００３７】
アノード電極７２をフィラメント７１と反対側から見た図９において、それぞれａ×ａの正方形をした多数のアノード電極７２が２ａのピッチで主走査方向（Ｍ方向）にライン状に並んでおり、これが奇数ラインＡ，偶数ラインＢの２列設けられている。この２列は、互いに主走査方向にａだけずれており、副走査方向（Ｓ方向）には互いに間隔Ｄで離間している。この間隔Ｄは、１／２ライン印画する毎に１／２ａだけ記録ヘッドユニット４３を副走査方向に移動することで、奇数ラインＡによる印画ドットと偶数ラインＢによる印画ドットとが１ライン上に整列印画されるように決められている。
【００３８】
前記蛍光表示管６２は、図１０に示すように、フレキシブル基板７５によって記録ヘッド基板７６に接続されている。この記録ヘッド基板７６は、コネクタ７７を有しており、これを介して印画画像処理ＩＣ４１に接続されている。フレキシブル基板７５には、ドライバＩＣ７８が実装されており、印画画像処理ＩＣ４１から送られてきた印画データ及び記録ヘッド制御信号がコネクタ７７，記録ヘッド基板７６及びフレキシブル基板７５を介してドライバＩＣ７８に入力される。ドライバＩＣ７８は、印画データに従い、アノード電極７２を個別に制御し、発光させる。
【００３９】
インスタントフイルム１０は、露光された部分が光線色に発色し、露光されなかった部分は発色せずに黒になる。１／２ラインの所定のドットに着目した、例えば印画階調が２５６階調の場合の露光方式を示す図１１において、露光光線色を白とすると、露光条件１では、Ｈ期間がないため露光は行われず、印画結果は黒になる。また、露光条件２では、Ｈ期間が短いため、印画結果は濃いグレーになる。また、露光条件３では、Ｈ期間が半分のため、印画結果は中間のグレーになる。また、露光条件４では、Ｈ期間が２５６階調の全域であるため、印画結果は白になる。
【００４０】
前記カラーフィルタ６３は、Ｒ透過フィルタ部，Ｇ透過フィルタ部，Ｂ透過フィルタ部を帯状に並べて構成され、上記３色の各フィルタ部のいずれかひとつが蛍光表示管６２の照明光路内に位置するようにしてある。そして、フィルタ切替え信号の入力によってカラーフィルタ６３が矢印Ｙ方向に移動し、フィルタ部の切替えが行われる。
【００４１】
カラーフィルタ６３を透過することによって、蛍光表示管６２からの照明光はＲ，Ｇ，Ｂいずれか一色のプリント光になる。プリント光は、第１ミラー６４、セルフォックレンズアレイ６５、第２ミラー６６を経て開口６１ａから射出し、インスタントフイルム１０に達する。セルフォックレンズアレイ６５は、画素ごとのプリント光が他の画素位置まで広がることを防止する。
【００４２】
各色のカラーフィルタは、記録ヘッドユニット４３が矢印Ｓ方向に１往復移動するごとに、一つずつ順次に蛍光表示管６２の照明光路内に移動する。したがって蛍光表示管６２からの照明光は、赤色，緑色，青色のいずれか一色のプリント光となる。
【００４３】
このように構成された電子スチルカメラの作用を説明する。電源スイッチ３をオンにすると、この投入信号がコントロールパネル５６を経てマイクロコンピュータ４０に入力される。マイクロコンピュータ４０は、モード切換ダイヤル２０の回転位置に応じたモードで電子スチルカメラを立ち上げる。例えば、モード切換ダイヤル２０の文字「撮影」を指標２７に合わせた状態で電源スイッチ３をオンにすると、電子スチルカメラが撮影モードで立ち上がる。この撮影モードでは、ＣＣＤイメージセンサ３５から出力される撮像信号は撮像画像処理部３６により画像データに変換された後、更にＮＴＳＣ方式に準拠した信号に変換されてから液晶ディスプレイ１９に送られ、液晶ディスプレイ１９に被写体画像がリアルタイムで表示される。
【００４４】
モード切換ダイヤル２０を操作して「ＳＥＴＵＰ」の文字を指標２７に合わせると、液晶ディスプレイ１９に各種のセットアップを行うメニュー画面が表示され、セットアップモードに移行する。このとき、カメラボディ２を手で持っている場合には、加速度センサ５５がこの不安定状態を検知して、図１（Ａ）に示すように、「カメラメニュー」が前側になるようにタブ３１の「カメラメニュー」にカーソル３３が合わせられた状態のメニュー画面が表示される。また、カメラボディ２を机等の上に置いている場合には、加速度センサ５５がこの安定状態を検知して、同図（Ｂ）に示すように、「プリントメニュー」が前側になるようにタブ３２の「プリントメニュー」にカーソル３３が合わせられた状態のメニュー画面が表示される。
【００４５】
例えば「プリントメニュー」が前側に表示された状態でメニュー画面が表示された場合、これを「カメラメニュー」に変更するには、カーソルキー２８の矢印２９ｃを押圧し、カーソル３３をタブ３１に移動させるか、実行キー２１を押圧する。次に、例えば「カメラメニュー」の項目「クオリティ」を変更するには、カーソルキー２８の矢印２９ｂを押圧してカーソル３３を画面の下方に移動させて、項目「クオリティ」に重ねる。そして、カーソルキー２８の矢印２９ｄを押圧してカーソル３３を右方に移動させ、表示中の「ＦＩＮＥ」または「ＮＯＲＭＡＬ」に重ねる。そして、実行キー２１を押圧すると、表示されていない方の「ＮＯＲＭＡＬ」または「ＦＩＮＥ」が表示されるから、所望の画質を示す文字が表示された状態で操作を止める。
【００４６】
更に別の項目を設定するには、設定したい項目にカーソル３３を移動させて同様の操作を行う。全項目の設定が所望のとおりに設定されているのを確認してから、モード切換ダイヤル２０を回して、セットアップモードを別のモードに切り換えると、各項目の設定が決定される。設定を決定せずに設定を止めたい場合には、キャンセルキー２２を押圧する。
【００４７】
モード切換ダイヤル２０の文字「撮影」を指標２７に合わせて撮影モードに移行した後、レリーズボタン８を操作すると、このレリーズ信号はマイクロコンピュータ４０が受け、撮像画像処理部３６経由で画像演算処理ＩＣ３７に撮影指令を発する。画像演算処理ＩＣ３７は撮像画像処理部３６を制御し、まず、カメラレンズ４内蔵のシャッタ機構を駆動し、ＣＣＤイメージセンサ３５に結像する光を遮断させることにより撮影したい映像のみをＣＣＤイメージセンサ３５に蓄積させる。次に、撮像画像処理部３６はＣＣＤイメージセンサ３５に蓄積されたＲＧＢ信号を取り込み、ＹＣｒＣｂ信号に変換して画像演算処理ＩＣ３７に送る。
【００４８】
画像演算処理ＩＣ３７は、撮像画像処理部３６からのＹＣｒＣｂ信号を画像メモリ３８に適合した画像データに変換して画像メモリ３８に蓄積する。画像メモリ３８に１画面分の画像データが蓄積されたら、この画像データを画像演算処理ＩＣ３７が外部メモリ２５に格納可能な形式に変換して撮像画像処理部３６に送る。撮像画像処理部３６はこの画像データを外部メモリ２５に格納する。
【００４９】
ユーザがモード切換ダイヤル２０を操作して再生モードに移行すると、この再生指令信号がコントロールパネル５６を経てマイクロコンピュータ４０に入力される。マイクロコンピュータ４０は、撮像画像処理部３６経由で画像演算処理ＩＣ３７に再生指令を発する。画像演算処理ＩＣ３７は、撮像画像処理部３６を制御して外部メモリ２５から撮像画像処理部３６を経由して画像データを読み出す。画像演算処理ＩＣ３７は、撮像画像処理部３６からの画像データをＹＣｒＣｂ信号からなる画像データに復元して画像メモリ３８に蓄積する。画像メモリ３８に１画面分の画像データが蓄積された後、撮像画像処理部３６は画像演算処理ＩＣ３７からの支持により画像メモリ３８から画像データを読み出しつつ、これをＮＴＳＣ信号に変換して液晶ディスプレイ１９に送る。液晶ディスプレイ１９は、撮像画像処理部３６からのＮＴＳＣ信号に忠実に画像を映し出す。
【００５０】
コマ選択は、カーソルキー２８を操作することにより行うことができる。プリントを希望するコマの画像が液晶ディスプレイ１９に表示されている状態でユーザがプリントキー２４を操作すると、印画指令信号はマイクロコンピュータ４０が受け、撮像画像処理部３６及び印画画像処理ＩＣ４１に対して印画指令を発する。撮像画像処理部３６は画像演算処理ＩＣ３７に印画指令を発する。画像演算処理ＩＣ３７は、画像メモリ３８に蓄積されている画像データを印画に適したデータに変換して画像メモリ３８に再蓄積する。再蓄積終了後、画像演算処理ＩＣ３７は、印画画像処理ＩＣ４１に対し１ライン分（奇数ラインＡで１／２ライン，偶数ラインＢで１／２ライン）の印画データを転送する。なお、印画画像処理ＩＣ４１は１ライン分の蓄積メモリを有する。
【００５１】
マイクロコンピュータ４０の指令信号によりカラーフィルタ６３のＲ透過フィルタ部が蛍光表示管６２の照明光路内に位置するように移動された後、印画画像処理ＩＣ４１は赤色画像の最初の１／２ライン目，１階調目の印画データを記録ヘッドユニット４３に転送する。記録ヘッドユニット４３は、印画データに従って蛍光表示管６２の奇数ラインＡを発光させてインスタントフイルム１０への露光を行う。このデータ転送及び露光を階調分繰り返す。また、この間に１／２ライン分記録ヘッドユニット４３が記録開始位置４３ａから記録完了位置に向かって副走査方向に移動する。
【００５２】
１／２ライン分の印画が終了すると、印画画像処理ＩＣ４１は残りの１／２ライン目，１階調目の印画データを記録ヘッドユニット４３に転送する。記録ヘッドユニット４３は、印画データに従って蛍光表示管６２の偶数ラインＢを発光させてインスタントフイルム１０への露光を行う。このデータ転送及び露光を階調分繰り返す。この偶数ラインＢの発光による露光と同時に、画像演算処理ＩＣ３７は、次の２ライン分の印画データのうち最初の１／２ライン分の印画データを印画画像処理ＩＣ４１に転送し、奇数ラインＡの発光による露光を行う。以上のシーケンスが決められたライン数の露光終了まで繰り返され、記録ヘッドユニット４３は記録完了位置に達して赤色画像の露光が終了した後、再び記録開始位置４３ａに戻される。
【００５３】
次にマイクロコンピュータ４０の指令信号によりカラーフィルタ６３のＧ透過フィルタ部が蛍光表示管６２の照明光路内に移動され、以下、上記赤色画像の露光と同様に緑色画像の露光が行われる。緑色画像の露光が終了すると、記録ヘッドユニット４３が記録開始位置４３ａに戻された後、カラーフィルタ６３のＢ透過フィルタ部が照明光路内に移動され、上記赤色画像及び緑色画像と同様に青色画像の露光が行われる。
【００５４】
赤，緑，青全ての画像露光が終了した後、マイクロコンピュータ４０からの信号により展開モータ５１が駆動を開始する。ヘッド走行機構４４が作動を開始し、クロー爪がフイルムパック１４に形成された周知の切り欠きから侵入し、露光済みのインスタントフイルム１０をフイルムパック１４から掻き出す。クロー爪で掻き出されたインスタントフイルム１０の上端が一対の展開ローラ５１間に入り込み、以後は展開ローラ５１の回転によってインスタントフイルム１０が搬送され、同時に先端部に設けられた現像液ポッドが裂開して現像処理液の展開が行われる。インスタントフイルム１０は排出口２ｂを通り、ドア１１を押し開きながらカメラボディ２の外部に排出される。１分〜数分経過すると、インスタントフイルム１０の片面にポジ画像が現出する。
【００５５】
引き続き別のコマをプリントするときには、再生モードでカーソルキー２８を操作してコマ選択を行い、所望のコマの画像が液晶ディスプレイ１９に表示されている状態でプリントキー２４を押し下げればよい。また、プリント途中でキャンセルキー２２を操作すれば、その時点でのプリント枚数をプリントした後、再生モードに戻る。
【００５６】
上記実施形態では、カメラボディ２を手に持っている不安定状態か、カメラボディ２がテーブル等の上に置かれている安定状態かによって、セットアップモードにセットした直後に選択されるメニューを変更するようにしたが、レンズキャップ１２の着脱によって変更してもよい。すなわち、レンズキャップ１２の着脱はレンズキャップ検出センサ１３によって検出できるから、レンズキャップ検出センサ１３からの出力信号に応じて、レンズキャップ１２がカメラレンズ４の鏡胴部２ａの前端に装着されている場合には、「プリントメニュー」を表示し、レンズキャップ１２が鏡胴部２ａの前端から外されている場合には、「カメラメニュー」を表示する。
【００５７】
また、フイルムパック１４の有無によって変更してもよい。フイルムパック１４の有無はパック検出スイッチ１７によって検出されるから、フイルムパック１４がパック装填室２ｃに装填されている場合には、「プリントメニュー」を表示し、フイルムパック１４が装填されていない場合には、「カメラメニュー」を表示する。また、インスタントフイルム１０の有無を検出して、フイルムパック１４がパック装填室２ｃに装填されていてもインスタントフイルム１０を使い切った状態であれば、「カメラメニュー」を表示し、インスタントフイルム１０がフイルムパック１４内に残っていれば、「プリントメニュー」を表示するようにしてもよい。
【００５８】
また、上記カメラボディの安定状態か否か，レンズキャップの有無，フイルムパックの有無，インスタントフイルムの有無等を適当に組み合わせて、セットアップモードの最初に表示されるメニューを決定するようにしてもよい。
【００５９】
また、セットアップモードにセットした直後に表示されるメニューを「カメラメニュー」か「プリントメニュー」のいずれにするかを電子スチルカメラの状態によって決定したが、前回のセットアップモード時に選択した最後のメニューを次回のデフォルトにするようにしてもよい。また、この逆に最後のメニューの逆を次回のデフォルトにしてもよい。また、電源電池の電圧レベルが撮影可能ではあるが、プリント不可能なレベルである場合に、「カメラメニュー」をデフォルトとし、プリントも可能なレベルの場合に、「プリントメニュー」をデフォルトとするようにしてもよい。
【００６０】
また、上記実施形態では、セットアップモード時のメニューを「カメラメニュー」と「プリントメニュー」の２つにしたが、本発明はこれに限定されることなく、３つ以上であってもよい。また、各メニューの上部にタブを設け、これを選択することによりメニューを切り換えるようにしたが、タブを省略してもよい。この場合には、例えば実行キーを操作する毎に予め決められた順番で循環的に切り替わるようにする等の方法が考えられる。
【００６１】
以上説明した実施形態では、電子スチルカメラに内蔵するプリンタとしてインスタントフイルムに画像を露光して被写体画像のハードコピーを得る光プリンタを採用したが、本発明はこれに限定されることなく、例えば、発色する色が異なる複数の感熱発色層を層設したカラー感熱記録材料をサーマルヘッドと相対移動しながら加熱発色させる感熱プリンタ等でもよい。
【００６２】
【発明の効果】
以上に説明してきたとおり、手に把持されている不安定状態か、テーブル等に置かれている安定状態かを加速度センサを用いて判定し、セットアップモードを選択した最初にディスプレイに表示するグループを不安定状態のときには撮像モードに係るグループ、安定状態のときにはプリントモードに係るグループとしたので、セットアップ時の操作性が向上できる。
【００６４】
また、カメラレンズの前部が遮蔽手段によって遮蔽されているか否かを検出する遮蔽状態検出手段を設け、セットアップモードを選択した最初にディスプレイに表示するグループを、カメラレンズが露呈されている場合には撮像モードに係るグループ、カメラレンズが遮蔽されている場合にはプリントモードに係るグループとしたので、セットアップ時の操作性が向上できる。
【００６５】
また、記録媒体パックの有無を検出するパック検出手段を設け、セットアップモードを選択した最初にディスプレイに表示するグループを、記録媒体パックがパック装填室に装填されていない場合には撮影モードに係るグループ、記録媒体パックがパック装填室に装填されている場合にはプリントモードに係るグループとしたので、セットアップ時の操作性が向上できる。
【図面の簡単な説明】
【図１】セットアップモード時の液晶ディスプレイの表示を示す説明図である。
【図２】電子スチルカメラのパック装填室を開けた状態を示す正面側外観図である。
【図３】電子スチルカメラの背面側外観図である。
【図４】モード切換ダイヤルを示す説明図である。
【図５】電子スチルカメラの電気的構成の概略を示すブロック図である。
【図６】メカユニットの外観を示す概略図である。
【図７】記録ヘッドユニットの内部構造の概略を示す説明図である。
【図８】蛍光表示管の原理図である。
【図９】蛍光表示管のアノード電極の配列を示す説明図である。
【図１０】記録ヘッドユニットの駆動に係るフレキシブル基板，記録ヘッド基板等を示す説明図である。
【図１１】記録ヘッドユニットの露光例を示すタイムチャートである。
【符号の説明】
２  カメラボディ
２ｃ  パック装填室
３  電源スイッチ
４  カメラレンズ
１０  インスタントフイルム
１２  レンズキャップ
１３  レンズキャップ検出センサ
１４  フイルムパック
１６  蓋
１７  パック検出スイッチ
１８  蓋検出スイッチ
１９  液晶ディスプレイ
２０  モード切換ダイヤル
２１  実行キー
２４  プリントキー
２５  外部メモリ
２８  カーソルキー
２９ａ〜２９ｄ  矢印
３１，３２  タブ
３３  カーソル
３５  ＣＣＤイメージセンサ
３６  撮像画像処理部
３７  画像演算処理ＩＣ
４０  マイクロコンピュータ
４２  メカユニット
４３  記録ヘッドユニット
５５  加速度センサ
【図１】
0003862132.tif 000002
【図２】
0003862132.tif 000003
【図３】
0003862132.tif 000004
【図４】
0003862132.tif 000005
【図５】
0003862132.tif 000006
【図６】
0003862132.tif 000007
【図７】
0003862132.tif 000008
【図８】
0003862132.tif 000009
【図９】
0003862132.tif 000010
【図１０】
0003862132.tif 000011
【図１１】
0003862132.tif 000012